(57)【要約】【課題】読み情報の登録作業を簡易化できる辞書メンテナンスシステムを提供する。【解決手段】特殊変換パターン記憶部１２１は、文字列とその読み情報とを対応付けて記憶する。汎用変換パターン記憶部１２２は、文字列と、特殊変換パターン記憶部１２１に記憶された読み情報とは異なる読み情報とを対応付けて記憶する。検索手段１１１は、入力文字列が、特殊変換パターン記憶部１２１と汎用変換パターン記憶部１２２とに記憶されていないと判断すると、入力文字列を、特殊変換パターン登録待ち記憶部１２３に登録する。メンテナンス手段１１４は、特殊変換パターン登録待ち記憶部１２３に記憶された文字列について、当該文字列とその読み情報とを、特殊変換パターン記憶部１２１に登録する。【選択図】図１
2009245235.tif 000002
【特許請求の範囲】
【請求項１】
文字列と読み情報とを対応付けて記憶する第１の変換パターン記憶部と、
前記文字列と前記第１の変換パターン記憶部に記憶された読み情報と異なる読み情報とを対応付けて記憶する第２の変換パターン記憶部と、
入力された文字列が、前記第１の変換パターン記憶部と前記第２の変換パターン記憶部に記憶されていない場合に、入力された前記文字列を登録待ち記憶部に記憶する検索手段と、
前記登録待ち記憶部に記憶された文字列と当該文字列に対して入力された読み情報とを対応付けて前記第１の変換パターン記憶部に登録するメンテナンス手段とを備える辞書メンテナンスシステム。
【請求項２】
前記メンテナンス手段は、前記読み情報に代えて、又は、これに加えて、前記第１の変換パターン記憶部に、略式読み情報を登録する、請求項１に記載の辞書メンテナンスシステム。
【請求項３】
前記メンテナンス手段は、前記登録待ち記憶部から、該登録待ち記憶部に記憶された文字列を取得し、該取得した文字列のリストをユーザに提示して、前記読み情報の入力を促す、請求項１又は２に記載の辞書メンテナンスシステム。
【請求項４】
前記第２の変換パターン記憶部は、一般的な読み情報を記憶する汎用変換パターン記憶部であり、前記第１の変換パターン記憶部は、特殊な読み情報を記憶する特殊変換パターン記憶部である、請求項１〜３の何れか一に記載の辞書メンテナンスシステム。
【請求項５】
コンピュータを用いて、文字列に対して読み情報を登録する辞書メンテナンス方法であって、
前記コンピュータが、入力された文字列が、文字列と読み情報とを対応付けて記憶する第１の変換パターン記憶部、及び、前記文字列と前記第１の変換パターン記憶部に記憶された読み情報と異なる読み情報とを対応付けて記憶する第２の変換パターン記憶部の少なくとも一方に記憶されているか否かを判断するステップと、
前記コンピュータが、入力された前記文字列が前記第１の変換パターン記憶部及び前記第２の変換パターン記憶部に記憶されていないと判断すると、入力された前記文字列を登録待ち記憶部に記憶するステップと、
前記コンピュータが、前記登録待ち記憶部に記憶された文字列と当該文字列に対して入力された読み情報とを対応付けて前記第１の変換パターン記憶部に登録するステップとを有する辞書メンテナンス方法。
【請求項６】
コンピュータに、文字列に対して読み情報を登録する処理を実行させるプログラムであって、前記コンピュータに、
入力された文字列が、文字列と読み情報とを対応付けて記憶する第１の変換パターン記憶部、及び、前記文字列と前記第１の変換パターン記憶部に記憶された読み情報と異なる読み情報とを対応付けて記憶する第２の変換パターン記憶部の少なくとも一方に記憶されているか否かを判断する処理と、
入力された前記文字列が前記第１の変換パターン記憶部及び前記第２の変換パターン記憶部に記憶されていないと判断すると、入力された前記文字列を登録待ち記憶部に記憶する処理と、
前記登録待ち記憶部に記憶された文字列と当該文字列に対して入力された読み情報とを対応付けて前記第１の変換パターン記憶部に登録する処理とを実行させるプログラム。
【発明の詳細な説明】
【技術分野】
【０００１】
本発明は、辞書メンテナンスシステム、方法、及び、プログラムに関し、更に詳しくは、文字列と読み情報とを対応付けて記憶する変換パターン記憶部（辞書）のメンテナンスを行う辞書メンテナンスシステム、方法、及び、プログラムに関する。
【背景技術】
【０００２】
音声を入力し、音声認識を行って文字列を得る音声認識システムがある。音声認識システムは、文字列と読み情報とを対応付けて記憶する辞書を用いて、音声を文字列に変換する。辞書を用いた文字列変換に関して、特許文献１には、漢字情報（文字列）と読み情報とを対応付けて記憶する辞書を用いて、日本語カナ情報変換を行うシステムが記載されている。特許文献１に記載のシステムは、複合語等の連鎖的な用語を先端部分から順次に変換していくことにより、大規模な辞書を必要とせずに、カナ変換を可能としている。
【０００３】
ところで、読み情報をキーとして登録したマスタを利用する形態の音声認識システムの利用に当たっては、音声辞書の整備が不可欠である。しかし、音声辞書の中で最も重要な読み情報は、システムの構築／運用において整備が不十分な場合が多い。特許文献１には、辞書を用いたカナ変換が記載されるのみで、辞書整備については記載されていない。従って、特許文献１のシステムでは、一般的でない読みの情報を保存し、後日活用していくことはできない。
【０００４】
上記問題に対して、特許文献２では、一般的な辞典である固定辞典と、動的辞典との２種類の辞典を用いて音声認識用の辞書を作成することが記載されている。特許文献２では、電子番組表（ＥＰＧ）の受信後、受信データを、「番組内容」、「出演者」などの項目に分類する。その後、分類した各項目について、読みが付与済みの単語を抽出し、抽出した単語が動的辞典に記憶済みか否かを調べる。記憶されていないときは、動的辞典に追加登録する。動的辞典の作成後、動的辞典と電子番組表データとのマッチングを行い、一致した単語については、その読みを付与して、音声認識用の認識辞書に登録する。
【０００５】
辞書整備に関する別の技術として、特許文献３に記載の技術がある。特許文献３では、構文分解手段と、新規用語判別手段と、辞書更新手段とを用いる。構文分解手段は、「新規用語対象物件」を単語・熟語単位に分割して蓄積する。新規用語判別手段は、分解された単語・熟語の中から新規用語を選別し、選別した用語が用語辞書又はユーザ辞書に登録済みであるか否かを判定する。新規用語判別手段は、未登録の新規用語を、辞書メンテナンス部に渡す。辞書メンテナンス部は、渡された新規用語を、用語辞書又はユーザ辞書に、新たな用語として追加登録する。追加登録の際には、音声認識入力装置等の補助入力部を用いて、カナ情報などの付加情報を付加する。
【特許文献１】特開昭６１−１２７０６３号公報
【特許文献２】特開２００５−２２７５４５号公報
【特許文献３】特開平５−３２４６１１号公報
【発明の開示】
【発明が解決しようとする課題】
【０００６】
特許文献２に記載の技術で、動的辞書に登録されるのは、電子番組表にて、読みが付与された単語のみである。従って、読みが付与されていない単語は、動的辞典に登録されることはなく、その単語を、認識用辞書に登録することはできない。特許文献３に記載の技術では、新規用語を判別し、補助入力装置を用いてカナ情報を入力し、用語辞書又はユーザ辞書に登録する。このようにすることで、あらかじめ読み情報が付与されいない用語についても、辞書登録が可能である。しかし、特許文献３では、新規用語が発生するたびに、その都度、補助入力装置によるキーワード入力が必要である。このため、辞書登録作業が煩雑である。
【０００７】
本発明は、上記関連技術の問題点を解消し、読み情報の登録作業を簡易化できる辞書メンテナンスシステム、方法、及び、プログラムを提供する。
【課題を解決するための手段】
【０００８】
上記目的を達成するために、本発明の辞書メンテナンスシステムは、文字列と読み情報とを対応付けて記憶する第１の変換パターン記憶部と、前記文字列と前記第１の変換パターン記憶部に記憶された読み情報と異なる読み情報とを対応付けて記憶する第２の変換パターン記憶部と、入力された文字列が、前記第１の変換パターン記憶部と前記第２の変換パターン記憶部に記憶されていない場合に、入力された前記文字列を登録待ち記憶部に記憶する検索手段と、前記登録待ち記憶部に記憶された文字列と当該文字列に対して入力された読み情報とを対応付けて前記第１の変換パターン記憶部に登録するメンテナンス手段とを備えることを特徴とする。
【０００９】
本発明の辞書メンテナンス方法は、コンピュータを用いて、文字列に対して読み情報を登録する辞書メンテナンス方法であって、前記コンピュータが、入力された文字列が、文字列と読み情報とを対応付けて記憶する第１の変換パターン記憶部、及び、前記文字列と前記第１の変換パターン記憶部に記憶された読み情報と異なる読み情報とを対応付けて記憶する第２の変換パターン記憶部の少なくとも一方に記憶されているか否かを判断するステップと、前記コンピュータが、入力された前記文字列が前記第１の変換パターン記憶部及び前記第２の変換パターン記憶部に記憶されていないと判断すると、入力された前記文字列を登録待ち記憶部に記憶するステップと、前記コンピュータが、前記登録待ち記憶部に記憶された文字列と当該文字列に対して入力された読み情報とを対応付けて前記第１の変換パターン記憶部に登録するステップとを有することを特徴とする。
【００１０】
本発明のプログラムは、コンピュータに、文字列に対して読み情報を登録する処理を実行させるプログラムであって、前記コンピュータに、入力された文字列が、文字列と読み情報とを対応付けて記憶する第１の変換パターン記憶部、及び、前記文字列と前記第１の変換パターン記憶部に記憶された読み情報と異なる読み情報とを対応付けて記憶する第２の変換パターン記憶部の少なくとも一方に記憶されているか否かを判断する処理と、入力された前記文字列が前記第１の変換パターン記憶部及び前記第２の変換パターン記憶部に記憶されていないと判断すると、入力された前記文字列を登録待ち記憶部に記憶する処理と、前記登録待ち記憶部に記憶された文字列と当該文字列に対して入力された読み情報とを対応付けて前記第１の変換パターン記憶部に登録する処理とを実行させることを特徴とする。
【発明の効果】
【００１１】
本発明の辞書メンテナンスシステム、方法、及び、プログラムは、読み情報の登録作業を簡易化できる。
【発明を実施するための最良の形態】
【００１２】
以下、図面を参照し、本発明の実施の形態を詳細に説明する。図１は、本発明の一実施形態の辞書メンテナンスシステムの構成を示している。辞書メンテナンスシステムは、入力装置１００、データ処理装置１１０、記憶装置１２０、及び、出力装置１３０を有する。入力装置１００は、ＨＤＤ、ＦＤＤ、ＣＤドライブ等のデータ入力装置である。データ処理装置１１０は、プログラム制御により動作する。記憶装置１２０は、情報を記憶する記憶装置である。出力装置１３０は、ディスプレイ装置や印刷装置等の出力装置である。
【００１３】
入力装置１００は、データ処理装置１１０に、文字列を渡す。入力装置１００からデータ処理装置１１０に渡される文字列の単位は、単語単位であるとする。記憶装置１２０は、特殊変換パターン記憶部（第１の変換パターン記憶部）１２１と、汎用変換パターン記憶部（第２の変換パターン記憶部）１２２と、特殊変換パターン登録待ち記憶部１２３とを有する。汎用変換パターン記憶部１２２は、日本語名称と、一般的な読み情報とをあらかじめ記憶している。特殊変換パターン記憶部１２１は、日本語名称と、独自の読み情報を記憶している。特殊変換パターン登録待ち記憶部１２３には、特殊変換パターン記憶部１２１に登録すべき単語が登録される。
【００１４】
データ処理装置１１０は、検索手段１１１と、メンテナンス手段１１４とを有する。検索手段１１１は、特殊変換パターン記憶部１２１と汎用変換パターン記憶部１２２とを検索し、入力装置１００に入力された文字列に一致する文字列が、特殊変換パターン記憶部１２１及び汎用変換パターン記憶部１２２の少なくとも一方に記憶されているか否かを判断する。検索手段１１１は、入力文字列に一致する文字列が存在するときは、特殊変換パターン記憶部１２１又は汎用変換パターン記憶部１２２から当該文字列に対する読み情報を取得し、出力装置１３０に出力する。その際、検索手段１１１は、特殊変換パターン記憶部１２１と汎用変換パターン記憶部１２２との双方に一致する文字列に対する読み情報が存在するときは、特殊変換パターン記憶部１２１に記憶された読み情報を優先するものとする。検索手段１１１は、入力文字列に一致する文字列が存在しないときは、当該文字列を、特殊変換パターン登録待ち記憶部１２３に記憶する。
【００１５】
検索手段１１１は、第１の検索手段１１２と第２の検索手段１１３とを含む。第１の検索手段１１２は、データ処理装置１１０が入力装置１００から文字列を受け取ると、特殊変換パターン記憶部１２１を検索し、入力装置１００から渡された文字列に一致する単語が存在するか否かを判定する。第１の検索手段１１２は、渡された文字列に一致する単語が特殊変換パターン記憶部１２１に存在すると判定すると、特殊変換パターン記憶部１２１から当該単語の読み情報を取得し、出力装置１３０に出力する。第１の検索手段１１２は、入力装置１００から渡された文字列に一致する単語が特殊変換パターン記憶部１２１に存在しないと判定すると、当該文字列を、第２の検索手段１１３に渡す。
【００１６】
第２の検索手段１１３は、第１の検索手段１１２から文字列を受け取ると、汎用変換パターン記憶部１２２を検索し、第１の検索手段１１２から渡された文字列に一致する単語が存在するか否かを判定する。第２の検索手段１１３は、渡された文字列に一致する単語が汎用変換パターン記憶部１２２に存在すると判定すると、汎用変換パターン記憶部１２２から当該単語の読み情報を取得し、出力装置１３０に出力する。存在しないと判定した場合は、渡された文字列（単語）を、特殊変換パターン登録待ち記憶部１２３に登録する。
【００１７】
メンテナンス手段１１４は、オペレータに対し、特殊変換パターン記憶部１２１への新規登録、及び、登録済み内容の修正／削除を行う機能を提供する。メンテナンス手段１１４は、オペレータが、特殊変換パターン記憶部１２１への新規登録を指示すると、特殊変換パターン登録待ち記憶部１２３に登録された単語をオペレータに提示し、読み情報の入力を促す。オペレータが、読み情報を入力すると、当該単語と読み情報とを対応付けて、特殊変換パターン記憶部１２１に登録する。
【００１８】
また、メンテナンス手段１１４は、オペレータが特殊変換パターン記憶部１２１の修正／削除を指示すると、特殊変換パターン記憶部１２１から、登録済みの単語と読み情報とを読み出し、オペレータに提示する。オペレータは、提示された内容を見て、読み情報の修正や削除を行う。オペレータは、例えば、誤った読み情報を発見したときは、正しい読み情報を入力する。メンテナンス手段１１４は、オペレータが、修正したい項目を選び、修正した読み情報を入力すると、それに従って、特殊変換パターン記憶部１２１の内容を更新（変更）する。
【００１９】
続いて、動作手順について説明する。まず、特殊変換パターン登録待ち記憶部１２３に単語を登録する際の手順について説明する。図２に、特殊変換パターン登録待ち記憶部１２３に単語を登録する際の動作手順を示す。第１の検索手段１１２は、入力装置１００から与えられた文字列を受け取る（ステップＳ１）。第１の検索手段１１２は、特殊変換パターン記憶部１２１を検索し（ステップＳ２）、入力文字列と同じ単語が特殊変換パターン記憶部１２１に記憶されているか否かを判定する（ステップＳ３）。記憶されていれば、特殊変換パターン記憶部１２１から当該単語の読み情報を取得し、出力装置１３０に出力する（ステップＳ４）。
【００２０】
第１の検索手段１１２は、ステップＳ３で、入力文字列と同じ単語が特殊変換パターン記憶部１２１に記憶されていないと判定すると、第２の検索手段１１３に、入力文字列を渡す（ステップＳ５）。第２の検索手段１１３は、汎用変換パターン記憶部１２２を検索し（ステップＳ６）、入力文字列と同じ単語が汎用変換パターン記憶部１２２に記憶されているか否かを判定する（ステップＳ７）。記憶されていないときは、入力文字列を、特殊変換パターン登録待ち記憶部１２３に登録する（ステップＳ９）。記憶されていれば、汎用変換パターン記憶部１２２から当該単語の読み情報を取得し、出力装置１３０に出力する（ステップＳ８）。オペレータは、ステップＳ４又はステップＳ８で出力装置１３０に出力された読み情報のうちで、所望の読み情報を利用可能である。
【００２１】
次に、特殊変換パターン記憶部１２１に読み情報を登録する際の手順について説明する。図３に、特殊変換パターン記憶部１２１への登録時の動作手順を示す。オペレータは、読み情報の登録を指示する。メンテナンス手段１１４は、特殊変換パターン登録待ち記憶部１２３から、特殊変換パターン登録待ち記憶部１２３に登録された文字列を取得する（ステップＳ１０）。メンテナンス手段１１４は、取得した文字列のリストをオペレータに提示し、読み情報の入力を促す（ステップＳ１１）。
【００２２】
オペレータは、提示された文字列に対して読み情報を入力する。メンテナンス手段１１４は、読み情報が入力されると、文字列と、入力された読み情報と対応付けて、特殊変換パターン記憶部１２１に登録する（ステップＳ１２）。このように、特殊変換パターン登録待ち記憶部１２３を用いることで、オペレータは、読み情報が記憶されていない文字列について、一括で、読み情報の入力を行うことができる。従って、読み情報登録の作業を簡易化できる。
【００２３】
以下、具体例を用いて説明する。図４に、検索の一例を示す。特殊変換パターン記憶部１２１には、文字列「福岡県前原市」に対する読み情報として「ふくおかけんまえばるし」が登録されているとする。図２のステップＳ１で、入力装置１００から第１の検索手段１１２に「福岡県前原市」が入力される。第１の検索手段１１２は、ステップＳ２で特殊変換パターン記憶部１２１を検索する。「福岡県前原市」は、特殊変換パターン記憶部１２１に記憶されているため、第１の検索手段１１２は、ステップＳ３からステップＳ４へ移行して、「福岡県前原市」の読み情報である「ふくおかけんまえばるし」を出力装置１３０に出力する。
【００２４】
また、別例として、第１の検索手段１１２に、文字列「苦土重焼燐」が入力された場合を考える。この場合の動作を図５に示す。第１の検索手段１１２は、ステップＳ２で、特殊変換パターン記憶部１２１を検索する。しかし、特殊変換パターン記憶部１２１には、「苦土重焼燐」に対応する読み情報はない。このため、第１の検索手段１１２は、ステップＳ３からステップＳ５へ移行し、文字列「苦土重焼燐」を、第２の検索手段１１３に渡す。第２の検索手段１１３は、文字列「苦土重焼燐」を受け取ると、ステップＳ６で、汎用変換パターン記憶部１２２を検索する。しかし、汎用変換パターン記憶部１２２にも文字列「苦土重焼燐」に対する読み情報はない。このため、第２の検索手段１１３は、ステップＳ７からステップＳ９へ移行して、文字列「苦土重焼燐」を、特殊変換パターン登録待ち記憶部１２３に登録する。
【００２５】
メンテナンス手段１１４は、図３のステップＳ１０で特殊変換パターン登録待ち記憶部１２３から文字列「苦土重焼燐」を取得し、ステップＳ１１で、読み情報の入力を促す。オペレータが、文字列「苦土重焼燐」に対する読み情報として、「くどじゅうしょうりん」を入力すると、メンテナンス手段１１４は、特殊変換パターン記憶部１２１に、文字列「苦土重焼燐」と、その読み情報「くどじゅうしょうりん」とを対応付けて記憶する。入力装置１００から、再度、文字列「苦土重焼燐」が入力されたときは、第１の検索手段１１２は、図２のステップＳ３で、特殊変換パターン記憶部１２１に「苦土重焼燐」が存在すると判定する。第１の検索手段１１２は、ステップＳ４で、特殊変換パターン記憶部１２１から「苦土重焼燐」に対応する読み情報を「くどじゅうじょうりん」を取得し、出力装置１３０に、読み情報「くどじゅうしょうりん」を出力する。
【００２６】
ここで、特殊変換パターン記憶部１２１への読み情報の登録では、常に、正しい読み情報が登録されるとは限られず、誤った読み情報が登録されることも考えられる。例えば、文字列「苦土重焼燐」に対して、「くつちじゅうやきりん」が登録されたとする。このような場合は、オペレータは、メンテナンス手段１１４を用いて、読み情報を修正する。読み情報の修正では、オペレータは、修正対象の文字列「苦土重焼燐」を指定する。メンテナンス手段１１４は、この文字列「苦土重焼燐」に対して、修正後の読み情報の入力を促す。オペレータが、読み情報「くどじゅうしょうりん」を入力すると、メンテナンス手段１１４は、特殊変換パターン記憶部１２１に登録された文字列「苦土重焼燐」に対する読み情報を、新たに入力された読み情報「くどじゅうしょうりん」で上書きする。
【００２７】
また、読み情報の修正では、特殊変換パターン記憶部１２１に登録された読み情報だけでなく、汎用変換パターン記憶部１２２に登録された読み情報の修正も可能である。汎用変換パターン記憶部１２２に登録された読み情報の修正は、例えば、特殊変換パターン記憶部１２１へ新たな読み情報を追加することで行う。具体的に、汎用変換パターン記憶部１２２に、文字列「熊本県松橋市」に対して、誤った読み情報「くまもとけんまつばしし」が登録されていた場合を考える。この場合、特殊変換パターン記憶部１２１に、文字列「熊本県松橋市」、読み情報「くまもとけんまつばせし」を登録する。この場合、入力文字列「熊本県松橋市」に対して、特殊変換パターン記憶部１２１から読み情報が取得されることになるので、正しい読み情報の出力が可能である。なお、メンテナンス手段１１４が、汎用変換パターン記憶部１２２の読み情報を直接に修正する構成も可能である。
【００２８】
上記では、誤った読み情報を正しい読み情報で修正する例を説明したが、メンテナンス手段１１４を用いて、登録済みの読み情報に加えて、又は、それに代えて、略式読み情報を登録することも可能である。例えば、特殊変換パターン記憶部１２１に、文字列「東京久留米花卉園芸卸センター」に対応して、読み情報「とうきょうくるめかきえんげいおろしせんたー」が登録されている場合を考える。この読み情報は、誤った読み情報ではないものの、非常に長く、実運用で使用するには不適と考えられる。そこで、メンテナンス手段１１４を用いて修正作業を行い、略式読み情報「とうきょうくるめ」を登録する。このように、略式読み情報を登録することで、略式読み情報を正式な読み情報と同じレベルで後日活用することができ、活用シーンに応じた読み情報の利用が可能となる。
【００２９】
本実施形態では、検索手段１１１は、入力文字列に対応する読み情報が、特殊変換パターン記憶部１２１及び汎用変換パターン記憶部１２２の双方にないときには、当該文字列を、特殊変換パターン登録待ち記憶部１２３に記憶する。メンテナンス手段１１４は、特殊変換パターン登録待ち記憶部１２３に登録された文字列について、読み情報が入力されると、特殊変換パターン記憶部１２１に、読み情報を登録する。本実施形態では、読み情報が存在しない文字列を、特殊変換パターン登録待ち記憶部１２３に蓄積していき、メンテナンス手段１１４を用いて、読み情報が存在しない文字列に対して、一括で、読み情報を登録できる。従って、新規用語が発生するたびに、その都度、補助入力装置を用いて読み情報を入力する場合に比して、読み情報の登録作業を簡易化できる。
【００３０】
なお、上記実施形態では、入力装置１００にＦＤＤ等の入力装置を用いる例について説明したが、入力装置は、これには限定されない。例えば、キーボード等の入力装置を用いることもできる。この場合は、ユーザがキーボードを用いて入力した文字列のうちで、特殊変換パターン記憶部１２１にも、汎用変換パターン記憶部１２２にも記憶されていない未登録の文字列が、特殊変換パターン登録待ち記憶部１２３に記憶されることになる。その後は、上記実施形態と同様な動作により、特殊変換パターン登録待ち記憶部１２３に登録された文字列について、読み情報を入力し、特殊変換パターン記憶部１２１への読み情報の登録を行えばよい。入力装置１００として、音声認識機能付きの音声入力装置を用いることも可能である。
【００３１】
以上、本発明をその好適な実施形態に基づいて説明したが、本発明の辞書メンテナンスシステム、方法、及び、プログラムは、上記実施形態にのみ限定されるものではなく、上記実施形態の構成から種々の修正及び変更を施したものも、本発明の範囲に含まれる。
【産業上の利用可能性】
【００３２】
本発明は、音声システム用辞書データ整備の省力化といった用途に適用できる。また、人名、住所を変換対象とすることで、名寄せシステム機能といった用途にも適用可能である。
【図面の簡単な説明】
【００３３】
【図１】本発明の一実施形態の辞書メンテナンスシステムを示すブロック図。
【図２】特殊変換パターン登録待ち記憶部への登録の際の動作手順を示すフローチャート。
【図３】特殊変換パターン記憶部への登録の際の動作手順を示すフローチャート。
【図４】検索の一例を示すブロック図。
【図５】文字列入力から特殊変換パターンへの登録までの流れ示すブロック図。
【符号の説明】
【００３４】
１００：入力装置
１１０：データ処理装置
１１１：検索手段
１１２：第１の検索手段
１１３：第２の検索手段
１１４：メンテナンス手段
１２０：記憶装置
１２１：特殊変換パターン記憶部
１２２：汎用変換パターン記憶部
１２３：特殊変換パターン登録待ち記憶部
１３０：出力装置
【図１】
2009245235.tif 000003
【図２】
2009245235.tif 000004
【図３】
2009245235.tif 000005
【図４】
2009245235.tif 000006
【図５】
2009245235.tif 000007